(57)【要約】      （修正有）【課題】着用者本人にとって裾丈（股下の長さ）を調整した状態にあるズボンの下端部（裾部）が、膝を折り曲げるしゃがむ姿勢での作業時に、強制的に引っ張り上げられて窮屈になり、足首が露出することを予防する、作業用ズボンを提供する。【解決手段】長い裾丈の身頃本体１１と、その身頃本体１１から付属一体的に垂下する短い裾丈の裏布１３とを備え、身頃本体１１の下端部を折り返すことにより裏向く身頃本体１１側の係止具２０と、裏布１３の下端部又は中途高さ位置から表向く状態にある裏布１３側の係止具２１とを、選択的に係止させることにより裾丈を長短調整できる作業用ズボンＡであって、上記身頃本体１１の前身頃１１ｆにおける膝頭Ｐを挟む上部位置と下部位置に、左右一対ずつのタック２７ｕ、２７ｄを各々形成した。【選択図】図１
0003235349.tif 000002
【実用新案登録請求の範囲】
【請求項１】
裾丈の長い身頃本体と、その身頃本体から付属一体的に垂下する裾丈の短い裏布とを備え、
係脱可能な雌雄一対から成る係止具の何れか一方を上記身頃本体における下端部の表面へ、その複数個の全体的なほぼ放射対称分型に取り付けると共に、
上記係止具の他方を上記裏布における下端部の表面と中途高さ位置の表面へ少なくとも上下２段として、上記身頃本体側の係止具と対応する同じ複数個ずつの各々全体的なほぼ放射対称分布型に取り付けて、
上記身頃本体の下端部を裏側へ折り返すことによって裏向くことになる身頃本体側の係止具と、上記裏布の下端部又は中途高さ位置から常時表向く状態にある裏布側の係止具とを、選択的に係止使用するように構成した裾丈の調整可能な作業用ズボンであって、
上記身頃本体の前身頃における膝頭を挟む上部位置と下部位置に、左右一対ずつのタックを各々形成したことを特徴とする作業用ズボン。
【請求項２】
係脱可能な雌雄一対の係止具をハトメホックとして、その何れか一方の合計３個を身頃本体における裏側への折り返し重合下端部へ取り付け固定し、
残る他方の合計３個ずつを裏布における表側又は裏側への折り返し重合下端部と、中途高さ位置の添え膜片が介在する部分へ各々取り付け固定すると共に、
左右一対ずつのタックとなる前身頃の折り曲げ重合部を、その折り曲げ稜線が横方向へ延在することとなるように、身頃本体における前身頃と後身頃との平行な２本ずつの縦縫
合線によって各々押え付け固定したことを特徴とする請求項１記載の作業用ズボン。
【請求項３】
前身頃における膝頭の上部位置に左右一対として並ぶタックの折り曲げ重合部と、同じく膝頭の下部位置に左右一対として並ぶタックの折り曲げ重合部とを、その上下対称となる折り曲げ形態に設定したことを特徴とする請求項２記載の作業用ズボン。
【考案の詳細な説明】
【技術分野】
【０００１】
本考案は雨衣としての作業用ズボンに関する。
【背景技術】
【０００２】
本考案の考案者は特許文献１に記載の「ズボンの裾丈調整装置」を提案し、その実施事業を行っている。この登録実用新案の構成によれば、ズボンの着用者本人が自分に適合した裾丈（股下の長さ）の調整状態を得られるため、作業しやすくなるほか、見栄えの良好さも確保できる利点がある。
【先行技術文献】
【特許文献】
【０００３】
【特許文献１】実用新案登録第３２１１６４３号公報
【考案の概要】
【考案が解決しようとする課題】
【０００４】
ところが、特許文献１に記載された登録実用新案の構成を備え、折角ズボンの裾丈をその着用者本人の希望通りに調整したとしても、それだけでは例えば農作業や建設・土木作業、その他のしゃがむ姿勢で行う諸作業に供した場合、膝の折り曲げに伴ってズボンの前側（出隅側となる前身頃の縦中心線上）が強制的に引っ張り上げられ、足首が露出して、冷風や雨水などに晒される結果となる。このような窮屈感（圧迫感）はズボンの太さを上記作業しやすく細身に作成すればする程、顕著に発生する。
【０００５】
そこで、その窮屈感（圧迫感）を解消すべく、ズボンを余裕（弛み）がある太さに作成すると、着用者における下半身へのフィット感が低下するため、却って作業上自由・軽快に動き廻ることが困難となり、ズボンの意匠性も悪化する問題がある。
【課題を解決するための手段】
【０００６】
本考案はこのような問題の改良を目的としており、その目的を達成するために、請求項１では裾丈の長い身頃本体と、その身頃本体から付属一体的に垂下する裾丈の短い裏布とを備え、
【０００７】
係脱可能な雌雄一対から成る係止具の何れか一方を上記身頃本体における下端部の表面へ、その複数個の全体的なほぼ放射対称分型に取り付けると共に、
【０００８】
上記係止具の他方を上記裏布における下端部の表面と中途高さ位置の表面へ少なくとも上下２段として、上記身頃本体側の係止具と対応する同じ複数個ずつの各々全体的なほぼ放射対称分布型に取り付けて、
【０００９】
上記身頃本体の下端部を裏側へ折り返すことによって裏向くことになる身頃本体側の係止具と、上記裏布の下端部又は中途高さ位置から常時表向く状態にある裏布側の係止具とを、選択的に係止使用するように構成した裾丈の調整可能な作業用ズボンであって、
【００１０】
上記身頃本体の前身頃における膝頭を挟む上部位置と下部位置に、左右一対ずつのタックを各々形成したことを特徴とする。
【００１１】
また、請求項２では係脱可能な雌雄一対の係止具をハトメホックとして、その何れか一方の合計３個を身頃本体における裏側への折り返し重合下端部へ取り付け固定し、
【００１２】
残る他方の合計３個ずつを裏布における表側又は裏側への折り返し重合下端部と、中途高さ位置の添え膜片が介在する部分へ各々取り付け固定すると共に、
【００１３】
左右一対ずつのタックとなる前身頃の折り曲げ重合部を、その折り曲げ稜線が横方向へ延在することとなるように、身頃本体における前身頃と後身頃との平行な２本ずつの縦縫合線によって各々押え付け固定したことを特徴とする。
【００１４】
更に、請求項３では前身頃における膝頭の上部位置に左右一対として並ぶタックの折り曲げ重合部と、同じく膝頭の下部位置に左右一対として並ぶタックの折り曲げ重合部とを、その上下対称となる折り曲げ形態に設定したことを特徴とする。
【考案の効果】
【００１５】
請求項１の上記構成によれば、作業用ズボンの着用者本人にとって裾丈（股下の長さ）を、自分の下半身に対応合致するように調整した状態や作業しやすい希望通りに調整した状態が、膝を折り曲げたしゃがむ姿勢での作業中に、短く引っ張り上げられてしまう違和感や窮屈感（圧迫感）を、その膝頭の上部位置と下部位置に左右一対ずつ形成されたタックによって、確実に解消することができるのであり、着用中の意匠性を低下させるおそれもない。
【００１６】
その場合、特に請求項２の構成を採用するならば、上記左右一対ずつのタックを形成する手段としても、その身頃本体における前身頃の折り曲げ重合部を後身頃と縫合する平行な２本（２列）ずつの縦縫合線によって押え付け固定すれば良く、そうすればその折り曲げ重合部から発生する折り曲げ稜線（ひだ）が横方向へ延在して、自ずと弛みを生成することになるため、例えばダーツのように折り曲げ稜線の左右両端部を或る一定長さ分だけ縫い付けたり、ましてその縫い付け部分に防水のためのシームテープを貼り付け加工したりするおそれがなく、雨衣としての作業用ズボンに著しく有効であり、量産効果を最大限に期待することもできる。
【００１７】
更に、請求項３の構成を採用するならば、請求項２の上記効果を得られることに加えて、膝頭を挟む左右一対ずつのタックが上下対称な折り曲げ形態として、上記縦縫合線により身頃本体へ接合一体化されることになるため、その上下対称な折り曲げ形態の折り曲げ重合部から生成される折り曲げ稜線（ひだ）が、上下方向へ滑らかに拡張変形しやすく、その膝頭を包囲する前身頃の可動範囲を極力広大に確保できる効果もあり、意匠性の向上にも役立つ。
【図面の簡単な説明】
【００１８】
【図１】本考案の実施形態に係る作業用ズボンの概略正面図である。
【図２】図１の概略側面図であって、裾丈の最も長い状態を示している。
【図３】図２の状態から裾丈を中間長さまで調整した状態の概略側面図である。
【図４】図３の状態から裾丈を最も短い長さまで調整した状態の概略側面図である。
【図５】ズボンの身頃本体へ裏布を接合一体化した状態の図２に対応する部分拡大断面図である。
【図６】図５に対応する部分変形実施形態の拡大断面図である。
【図７】図５の７−７線に沿う拡大断面図である。
【図８】図５の裾丈が最も長い状態から中間長さの状態へ、その裾丈を短く調整した状態の部分拡大断面図である。
【図９】裏側へ折り返した身頃本体側の係止具と、常時垂下した状態にある裏布側の係止具とが向かい合う対面状態を示す部分拡大断面図である。
【図１０】図８の１０−１０線に沿う拡大断面図である。
【図１１】図８の裾丈が中間長さにある状態から最も短い長さの状態へ、その裾丈を更に短く調整した状態の部分拡大断面図である。
【図１２】図１のＺ部分を抽出して示す拡大正面図である。
【図１３】図１２の１３−１３線断面図である。
【図１４】図１２の１４−１４線断面図である。
【考案を実施するための形態】
【００１９】
以下、図面に基づいて本考案の好適な実施形態を詳述すると、その雨衣としての作業用ズボン（Ａ）を示した図１〜１１において、（１１）はそのナイロンやポリエステル、その他の合成繊維（好ましくはストレッチ性の合成繊維）の織布から成る身頃本体であり、その前身頃（１１ｆ）と後身頃（１１ｒ）とが両脇部において各々縫い合わせ一体化されている。（１２）はその縫い糸による平行な２本（２列）ずつの縦縫合線である。
【００２０】
上記織布から成るズボン（Ａ）の身頃本体（１１）は雨衣として、その表面（外面）に撥水性が与えられている一方、裏面（内面）にはポリ塩化ビニール系樹脂（ＰＶＣ）ラミネート又はポリウレタン系樹脂（ＰＵ）コーティングなどによる防水性が与えられている。(１１ａ)はその身頃本体（１１）における表面の基層、（１１ｂ）は同じく裏面の防水層を示している。  
【００２１】
また、（１３）は上記身頃本体（１１）と同じ織布から成る別個な裏布（内布）であって、その上端部が身頃本体（１１）の中途高さ位置へ裏側（内側）から縫い付け糸又は／及びシームテープを介して接合一体化されることにより、自然と垂下した状態にある。
【００２２】
（１４）はその裏布（内布）（１３）の上端部と身頃本体（１１）の対応する中途高さ位置との剥離強度を向上するための一体接合部であり、図示の実施形態では上記身頃本体（１１）の裏面（内面）にポリウレタン系樹脂コーティングされた防水層（１１ｂ）と、その裏布（内布）（１３）の表面とに各々貼り付けられたシームテープ（１５）（１６）同士を、高周波ウェルダー（図示省略）によって加圧・溶着しているが、上記防水層（１１ｂ）がポリ塩化ビニール系樹脂ラミネートから成る場合には、高周波ウェルダーでの直に加圧・溶着したり、図５と対応する図６の変形実施形態に示す如く、上記防水層（１１ｂ）だけに裏側（内側）から縫い付けた上、シームテープ（１７）を貼り付けたりすることによって、上記一体接合部（１４）がズボン（Ａ）の身頃本体（１１）から見苦しく表出しないように保つことが好ましい。  
【００２３】
何れにしても、上記ズボンにおける身頃本体（１１）の裾丈（股下の長さ）（Ｌ１）は裏布（内布）（１３）の裾丈（股下の長さ）（Ｌ２）よりも長く、その裏布（１３）の下端部が身頃本体（１１）の下端部から表側（外側）へ見苦しく張り出し露呈することはない。そのため、身頃本体（１１）の裾丈（Ｌ１）が作業用ズボン（Ａ）の裾丈となる。その身頃本体（１１）の裾丈（Ｌ１）と裏布（１３）の裾丈（Ｌ２）との長短差（Ｌ３）は、例えば約４．５ｃｍや約６．０ｃｍである。
【００２４】
上記身頃本体（１１）の下端部は一定の長さ（Ｌ４）分だけ裏側（内側）への連続Ｕターン状に折り返し重合されており、その折り返し先端（上端）が縫い糸（１８）によって縫い付けられた状態にある。
【００２５】
そして、その身頃本体（１１）における折り返し重合下端部（１９）の表面（外面）には、相互の係脱自在に係止する雌雄一対から成る係止具（２０）（２１）の何れか一方（図例では雌側の係止具（２０））が、上下方向から見て全体的なほぼ放射対称配置型に点在分布する複数個として、取り付け固定されている。つまり、上記ズボン（Ａ）の身頃本体（１１）がその裾丈（Ｌ１）の最も長く垂下している時、その折り返し重合下端部（１９）に取り付け固定されている上記係止具（２０）は、表向く（外向く）状態にある。
【００２６】
その係止具（２０）（２１）としては雌雄一対から成るものである限り、スナップや面ファスナーなどでもさしつかえないが、特に図例のようなハトメホック（ドット釦）の合計３個を採用することが好ましい。その全体の係脱操作をすばやく円滑に行え、それにも拘らず容易に解除しない安定な係止状態を確保できるからである。
【００２７】
他方、上記裏布（内布）（１３）の下端部は一定の長さ（Ｌ５）分だけ、上記身頃本体（１１）の下端部とは逆に、表側（外側）への連続Ｕターン状に折り返し重合されており、その折り返し先端（上端）がやはり縫い糸（２２）によって縫い付けられた状態にある。但し、図５と対応する図６の変形実施形態に示す如く、その裏布（１３）の下端部を上記身頃本体（１１）の下端部と同様に、裏側（内側）への連続Ｕターン状に折り返し重合しても勿論良い。
【００２８】
そして、その裏布（内布）（１３）における折り返し重合下端部（２３）の表面（外面）には、上記身頃本体（１１）側の係止具（２０）と係脱自在に係止する他方（図例では雄側）の係止具（２１）が、その身頃本体（１１）側の係止具（２０）と対応（合致）する全体的なほぼ放射対称配置型に点在分布する複数個（好ましくは合計３個）として、取り付け固定されている。
【００２９】
要するに、上記身頃本体（１１）の下端部を裏側（内側）へ折り返した時に裏向く（内向く）こととなる一方（図例の雌側）の係止具（２０）と、上記裏布（内布）（１３）の下端部から常時表向く（外向く）状態にある他方（図例の雄側）の係止具（２１）とが図９のように対面し、その雌雄一対として互いに係止（凹凸嵌合）すると共に、その係止状態の人為的な解除も行えるようになっているのである。
【００３０】
更に、上記裏布（内布）（１３）の下端部から、その裏布（１３）の裾丈（Ｌ２）と上記身頃本体（１１）の裾丈（Ｌ１）との長短差（Ｌ３）にほぼ等しい間隔距離（Ｈ）を保つ中途高さ位置の表面（外面）には、上記折り返し重合下端部（２３）側の係止具（２１）と同じ他方（図例では雄側）の係止具（２１）が、やはり身頃本体（１１）側における一方（図例では雌側）の上記係止具（２０）と対応（合致）する全体的なほぼ放射対称配置型に点在分布する複数個（好ましくは合計３個）として、取り付け固定されている。
【００３１】
そのため、上記身頃本体（１１）の下端部を裏側（内側）へ折り返した時に裏向く（内向く）こととなる一方（図例では雌側）の係止具（２０）と、裏布（内布）（１３）の中途高さ位置から常時表向く（外向く）状態にある他方（図例では雄側）の係止具（２１）とが、やはり図９のように向かい合い、その雌雄一対として係脱自在に係止（凹凸嵌合）し得るのである。
【００３２】
つまり、裏布（１３）の中途高さ位置に点在分布する係止具（２１）と、同じく裏布（１３）の下端部に点在分布する係止具（２１）とを選択使用して、上記身頃本体（１１）側の係止具（２０）と係脱自在に係止（雌雄嵌合）させることにより、作業用ズボン（Ａ）の裾丈（股下の長さ）（Ｌ１）を着用者が段階的に長短調整できるようになっているのである。
【００３３】
尚、図示の実施形態では裏布（１３）における上記係止具（２１）が取り付け固定される中途高さ位置を、その裏布（１３）の裾丈（Ｌ２）と身頃本体（１１）の裾丈（Ｌ１）との長短差（Ｌ３）にほぼ等しい間隔距離（Ｈ）を保つ位置に設定しているが、その長短差（Ｌ３）よりも短小な間隔距離（Ｈ）を保つ中途高さ位置に設定してもさしつかえない。裏側（内側）へ折り返えされた身頃本体（１１）の下端部から、裏布（１３）の下端部が表側（外側）へ見苦しく張り出し露呈するおそれはないからである。
【００３４】
（２４）は上記裏布（１３）の中途高さ位置へ複数個（好ましくは合計３個）の係止具（２１）を点在分布状態に取り付けるために介在させる添え膜片であって、円形の透明樹脂フィルムやテープなどから成り、上記身頃本体（１１）の折り返し重合下端部（１９）やその裏布（内布）（１３）の折り返し重合下端部（２３）と同様な補強機能やほつれ防止機能などを果す。
【００３５】
図示実施形態の場合、裏布（１３）の折り返し重合下端部（２３）のみならず、中途高さ位置にも悉く同じ係止具（２１）の複数個を取り付け固定することにより、その上下２段での選択使用に基づき、作業用ズボン（Ａ）の裾丈（股下の長さ）(Ｌ１)を長短調整できるようになっているが、上記裏布（１３）の中途高さ位置へ複数個ずつの係止具（２１）を２段以上に増設して、ズボン（Ａ）の裾丈（股下の長さ）(Ｌ１)をその上中下の３段以上に長短調整できるように定めても良い。
【００３６】
また、図示の実施形態では身頃本体（１１）の折り返し重合下端部（１９）側に雌側の係止具（２０）を、裏布（１３）の中途高さ位置側と折り返し重合下端部（２３）側に雄側の係止具（２１）を各々取り付け固定しているが、その係止具（２０）（２１）同士の雌雄関係は図例との逆であっても良い。
【００３７】
更に、図示実施形態の場合身頃本体（１１）の折り返し重合下端部（１９）側に取り付け固定された合計３個の係止具（２０）がすべて雌側のそれとして、裏布（１３）の中途高さ位置側と折り返し重合下端部（２３）側に各々取り付け固定された合計３個ずつの係止具（２１）がすべて雄側のそれとして、関係設定されているけれども、その３個ずつの係止具（２０）（２１）は雌側と雄側との混在状態にあってもさしつかえない。要するに、上記複数個ずつの係止具（２０）（２１）が雌雄一対として係脱自在に係止（凹凸嵌合）し得る対応関係にあれば足りる。
【００３８】
図２〜４は上記作業用ズボン（Ａ）における裾丈（股下の長さ）（Ｌ１）の段階的な調整状態を示す概略側面図であり、その裾丈（Ｌ１）の最も長い状態（図２や図５）から言わば第１段階として、例えば上記身頃本体（１１）の裾丈（Ｌ１）とその裏布（１３）の裾丈（Ｌ２）との長短差（Ｌ３）における約半分の寸法（例えば約２．５ｃｍや約３．０ｃｍ）に相当する中間長さの状態（図３や図８）へ、裾丈（Ｌ１）を短く調整するに当たっては、図５のように最も長く垂下している身頃本体（１１）の下端部を、その図５から図８のように、裏側（内側）へのＵターン状に折り返す。（Ｘ１−Ｘ１）はその第１段階の裏側（内側）に向かう折り目を示唆している。
【００３９】
そうすれば、その身頃本体（１１）の折り返し重合下端部（１９）にある一方（雌側）の係止具（２０）が、当初の表向き（外向き）状態から裏向く（内向く）状態となって、裏布（内布）（１３）の折り返し重合下端部（２３）から常時表向く（外向く）状態にある他方（雄側）の係止具（２１）と対面するため、その点在分布している複数個の係止具（２０）（２１）同士を、図８、１０のように悉く係止（雌雄嵌合）させるのである。
【００４０】
その結果、ズボン（Ａ）の裾丈（Ｌ１）は図２や図５の最も長い状態から、図３や図８の中間長さ状態に短くなるが、その調整状態では身頃本体（１１）の裏側（内側）へ折り返された先端（上端）が、その裏側（内側）から裏布（１３）によって被覆され、段差部を張り出し形成することはないため、ズボン（Ａ）の着用時に挿入する足が引っ掛かるおそれはなく、その着用をすばやく円滑に行え、また上記係止具（２０）（２１）同士の係止状態が不慮に解除されてしまうおそれもない。
【００４１】
次に、上記ズボン（Ａ）の裾丈（Ｌ１）が図３や図８に示す中間長さの状態から第２段階として、例えばその身頃本体（１１）の裾丈（Ｌ１）と裏布（１３）の裾丈（Ｌ２）との長短差（Ｌ３）における約半分の寸法（先に例示した約２．５ｃｍや約３．０ｃｍ）に相当する最も短い状態（図４や図１１）へ、その裾丈（Ｌ１）を更に短く調整する際には、図８のような裏布（１３）の折り返し重合下端部（２３）にある雄側の係止具（２１）から、身頃本体（１１）の折り返し重合下端部（１９）にある雌側の係止具（２０）を一旦取りはずして、その身頃本体（１１）の下端部を図８から図１１のように上方へ、更に裏側（内側）へ深く折り返すことにより、その折り返し重合下端部（１９）にある上記雌側の係止具（２０）を、裏布（１３）の中途高さ位置にある雄側の係止具（２１）へ、選択的に係止（凹凸嵌合）させるのである。（Ｘ２−Ｘ２）はその第２段階の裏側（内側）に向かう折り目を示唆している。
【００４２】
その場合でも、身頃本体（１１）側の係止具（２０）と裏布（１３）側の係止具（２１）とは、その身頃本体（１１）の下端部を上記折り目（Ｘ２−Ｘ２）から裏側（内側）へ折り返すことにより、自ずと向かい合い対面することになるため、その複数個をすばやく確実に係止（雌雄嵌合）させることができる。
【００４３】
上記身頃本体（１１）の下端部にある係止具（２０）と裏布（１３）の中途高さ位置にある係止具（２１）とが係止されると、ズボン（Ａ）の裾丈（Ｌ１）が図１１のように最も短く調整されることになるが、その調整状態にあっても裏布（１３）の下端部が身頃本体（１１）の下端部から表側（外側）へ張り出し露呈することはなく、上記係止具（２０）（２１）もズボン（Ａ）の表面（外面）へ見苦しく露呈しないため、そのズボン（Ａ）の意匠性を阻害するおそれはない。
【００４４】
何れにしても、上記ズボン（Ａ）における裾丈（股下の長さ）（Ｌ１）の長短調整状態を示す図８、１１から明白なように、そのズボン（Ａ）の身頃本体（１１）はその下端部から裏側（内側）へ折り返されるも、裏布（内布）（１３）を裏側（内側）から少しも包み込み状態に重合せず、その裏布（１３）は常に自然と垂下した状態に保たれるため、いたずらに膨らむ（嵩張る）ことはない。
【００４５】
尚、ズボン（Ａ）の裾丈（Ｌ１）を図８の中間長さにある状態から、図１１の最も短い状態へ調整する場合として、その方法を説明したが、図５の最も長い状態から一挙に図    １１の最も短い状態へ調整することも、ほぼ同じ方法によって行える。
【００４６】
また、雌雄一対の係止具（２０）（２１）はその相互の係脱自在に係止されるものであるため、逆に図１１の最も短い状態から図５の最も長い状態へ、ズボン（Ａ）の裾丈（Ｌ１）を段階的に調整できることは言うまでもない。その段階的な調整寸法としても必ず均一であることを要さず、或る程度の相違・変化があってもさしつかえない。
【００４７】
更に、上記作業用ズボン（Ａ）は雨衣として、その身頃本体（１１）の就中前身頃（１１ｆ）に図１、２のような左右一対のポケット（２５）を具備しており、しかもその両ポケット（２５）の最も深い下端角部には各々水抜き孔（２６）が設けられている。その水抜き孔（２６）を開口形成するためのハトメ（縁取り環）は図示省略してある。
【００４８】
また、着用者本人の下半身に対応合致した希望通りの裾丈（股下の長さ）（Ｌ１）に調整されたズボン（Ａ）の下端部が、その着用者の膝を折り曲げた姿勢での作業時に、引っ張り上げられてしまって、折角の裾丈調整状態が爾後的に狂うことを予防し、その作業上動きやすくするために、上記前身頃（１１ｆ）の膝頭（Ｐ）を挟む上部位置と下部位置には、左右一対ずつのタック（２７ｕ）（２７ｄ）が各々形成されている。
【００４９】
つまり、図１２〜１４の拡大図から明白なように、上記前身頃（１１ｆ）における着用者の膝頭（Ｐ）を挟む上部位置の左右両側縁部と、同じく下部位置の左右両側縁部とは、何れも折り曲げ重合部（２８ｕ）（２８ｄ）として折り曲げ重合されており、しかもその折り曲げ重合部（２８ｕ）（２８ｄ）の左右一対ずつが前身頃（１１ｆ）と後身頃（１１ｒ）とを両脇部に沿って縫い合わせる平行な２本（２列）ずつの縦縫合線（１２）によって、押え付け固定されているのである。
【００５０】
その前身頃（１１ｆ）の左右両側縁部をなす折り曲げ重合部（２８ｕ）（２８ｄ）が、上記縦縫合線（１２）を兼用して押え付け固定された状態では、図１、２や図１２から示唆されるように、その左右一対ずつのタック（２７ｕ）（２７ｄ）となる折り曲げ稜線（ひだ）が横方向へ延在して、着用者の膝頭（Ｐ）と対応位置する垂直中心線上に弛み（余裕）を生成することになる。
【００５１】
その場合、上記膝頭（Ｐ）の上部位置に左右一対として並ぶタック（２７ｕ）の弛みを形成する折り曲げ重合部（２８ｕ）と、同じく膝頭（Ｐ）の下部位置に左右一対として並ぶタック（２７ｄ）の弛みを形成する折り曲げ重合部（２８ｄ）とは、その前身頃（１１ｆ）の折り曲げ形態を上下対称となるように関係設定することが好ましい。その膝頭（Ｐ）の周辺における前身頃（１１ｆ）の可動範囲を極力広く確保することができ、その膝の折り曲げ作業姿勢に対し余裕をもって円滑に追従変形し得るからである。
【００５２】
念のために言えば、ダーツによる弛みの形成手段を採用すると、上記横方向へ延在する折り曲げ稜線（ひだ）をその左右両端部において或る程度の長さ分だけ縫い付けるため、前身頃（１１ｆ）の可動範囲が狭く制限されることになるほか、上記ズボン（Ａ）の製造上も縫い付け部分が増し、特に雨衣としての使用上、縫い付け部分にシームテープを貼り付け加工する必要もあり、コスト高を招来する。
【００５３】
この点、上記タック（２７ｕ）（２７ｄ）の形成によれば、その折り曲げ重合部（２８ｕ）（２８ｄ）を前身頃（１１ｆ）と後身頃（１１ｒ）との縦縫合線（１２）によって押え付け固定するだけで足り、その横方向へ延在する折り曲げ稜線（ひだ）を少しも縫い付けないので、前身頃（１１ｆ）の極めて広い可動範囲を確保することができ、シームテープの加工が不要であることとも相俟って、特に雨衣としての作業用ズボンに有益である。
【符号の説明】
【００５４】
（１１）・・・身頃本体
（１１ｆ）・・・前身頃
（１１ｒ）・・・後身頃
（１２）・・・縦縫合線
（１３）・・・裏布（内布）
（１４）・・・一体接合部
（１９）・・・身頃本体の折り返し重合下端部
（２０）・・・雌側の係止具（ハトメホック）
（２１）・・・雄側の係止具（ハトメホック）
（２３）・・・裏布の折り返し重合下端部
（２４）・・・添え膜片
（２７ｕ）・・・上部位置のタック
（２７ｄ）・・・下部位置のタック
（２８ｕ）・・・上側タックの折り曲げ重合部
（２８ｄ）・・・下側タックの折り曲げ重合部
（Ａ）・・・作業用ズボン
（Ｌ１）・・・ズボン（身頃本体）の裾丈
（Ｌ２）・・・裏布の裾丈
（Ｐ）・・・膝頭
【図１】
0003235349.tif 000003
【図２】
0003235349.tif 000004
【図３】
0003235349.tif 000005
【図４】
0003235349.tif 000006
【図５】
0003235349.tif 000007
【図６】
0003235349.tif 000008
【図７】
0003235349.tif 000009
【図８】
0003235349.tif 000010
【図９】
0003235349.tif 000011
【図１０】
0003235349.tif 000012
【図１１】
0003235349.tif 000013
【図１２】
0003235349.tif 000014
【図１３】
0003235349.tif 000015
【図１４】
0003235349.tif 000016